(57)【要約】【課題】  ポリゴンミラーモータの速度変更によりなされる倍率の異なる連続印字のページ間に形成される、倍率の異なるレジパターンを読み取り、色ずれや位置ずれを生産性を落とさずに補正改善することができる画像形成装置を提供することを目的とする。【解決手段】  倍率の異なる連続印字ページ間で形成される倍率の異なるレジパターンを読み取り、倍率に応じて基準倍率に換算して現在の位置ずれ補正量を演算し保持する。前記位置ずれ補正量に基づいて、ポリゴンミラーモータの回転速度および回転位相を制御して位置ずれ補正する位置ずれ補正手段を備えることを特徴とする画像形成装置。【選択図】  図１７
2007179005.tif 000002
【特許請求の範囲】
【請求項１】
ビームを発生するビーム発生手段と、
前記ビーム発生手段より発生したビームを走査し感光体上に画像を記録する走査手段と、
前記走査手段の走査速度を制御することで前記感光体上に記録する画像の倍率を変更する速度制御手段と、
前記感光体上に形成された画像が転写される中間転写体、または記録媒体を搬送する搬送体、のいずれかの担持体と、
前記担持体上において、第１の走査速度で記録された画像が形成される第１の領域と前記第一の走査速度とは異なる第２の走査速度で記録された画像が形成される第２の領域との間に生じる領域に、補正対象画像に対するパターン画像を前記第２の走査速度で形成させるパターン制御手段と、
前記形成されたパターン画像を読み取って、前記補正対象画像の画像形成位置のずれ量を検出する検出手段と、
前記検出した前記第２の走査速度でのずれ量に基づいて補正対象画像の画像形成位置を補正する補正部手段と、
を備えることを特徴とする画像形成装置。
【請求項２】
前記パターン制御手段は、前記パターン画像を形成する領域で、前記速度制御手段により前記第１の走査速度から前記第２の走査速度に変更してから、前記第２の走査速度で前記パターンを形成することを特徴とする請求項１に記載の画像形成装置。
【請求項３】
前記パターン制御手段は、前記パターン画像を形成する領域で、前記速度制御手段により前記第２の走査速度から前記第１の走査速度に変更する前に、前記第２の走査速度で前記パターンを形成することを特徴とする請求項１に記載の画像形成装置。
【発明の詳細な説明】
【技術分野】
【０００１】
本発明は、静電記録方式や電子写真記録方式等を採用した画像形成装置においてレジストレーションを補正する技術に関するものである。
【背景技術】
【０００２】
現在、画像形成装置では、高速・高画質で、かつ多種多様な記録紙（記録材）に対応可能な装置が求められている。特にカラーの画像形成装置では、複数色の画像を転写体上に順番に重ね合わせてカラー画像が形成されるため、より高速・高画質に形成されることが要求される。
【０００３】
そこで、高速化の１つの手段として、複数の画像形成部を色毎に、１列に並べたタンデムタイプがある。また、連続プリント中は、連続して形成する画像の間隔（つまり、ページ間、記録紙同士の間隔や紙間ともいう）を極力小さく（狭く）することで更に高速化（生産性を高く）することが知られている。
【０００４】
高画質化のためには、白黒、カラーの画像形成装置ともに、記録紙に対しての画像を形成する位置の精度を高めて、用紙に対する“位置ずれ”を少なくしている。またカラー画像形成装置では、複数色の画像を１つの転写体上に重ね合わせる際の位置の精度を高めて各色の“色ずれ”を少なくすることで、高画質を達成している。更に、カラー画像形成装置では、所望の画像の濃度と、実際に画像形成装置で形成される画像の“濃度ずれ”を少なくすることで、高画質を達成している。この位置ずれ、色ずれや濃度ずれなどの画像調整の為には、一度、画像形成のＪＯＢを中止（中断）して、転写体上にずれ検出用（調整用）のマーク列を形成して検出結果から調整（補正）を行う調整動作を行い、調整後、再度、画像形成のＪＯＢを実行（再開）していた。
【０００５】
しかし、この方法では、一度、ＪＯＢを中止（中断）して調整（補正）を行う為、生産性が低下してしまうとともに同一ＪＯＢの中で調整の前後で画像品質が異なってしまう問題がある。
【０００６】
そこで、ＪＯＢを中止（中断）させずに色ずれ調整を実行させる為に、連続して形成する画像と画像の間隔で調整動作を行うことが考えられる。（例えば、特許文献１参照）
また、同一記録紙の両面（表面と裏面）に画像形成を行う場合の高品質化のためには、記録紙上で両面に形成した画像の大きさと位置（表裏レジスト）をあわせることが要求される。一般的に、加熱により記録紙上に形成されたトナー像の定着を行う場合、記録紙に含まれていた水分の一部が定着時の熱により蒸発するため、定着後、記録紙は収縮して寸法変化を生じる。この寸法変化は、記録紙の種類毎に異なる。
【０００７】
つまり記録紙の両面に画像形成を行う両面印刷モードにおいては、表面（第１面）に像を転写して定着したのち、記録紙が０．１〜０．５％程度収縮した状態で裏面（第２面）に画像形成を行うことになる。このため、裏面の画像形成後に、記録紙が再度水分を吸収して伸長したときには画像が拡大してしまい、表面と裏面の画像サイズが異なり、表面と裏面の画像形成位置（表裏レジスト）がずれてしまうという不具合が生じる。そこで、両面印刷時における上記の問題を解決して高品質化するために、両面印刷時の出力画像に対する表裏の画像サイズの整合を、画像を書き込むために使用する走査手段である偏光器（回転多面鏡）の回転数（速度）を変更することで行う画像形成装置が提案されている（例えば、特許文献２参照）。
【特許文献１】特開２００５−２９２７６０号公報
【特許文献２】特開２００３−２６２９９１号公報
【発明の開示】
【発明が解決しようとする課題】
【０００８】
上述したように、高速・高画質化のためには、連続して形成する画像と画像の間隔で画像調整の為の調整動作を行うことが有効である。また、両面印刷時の高品質化のためには、画像サイズの整合をとるために、偏光器（回転多面鏡）の回転数を変更する手法が有効である。
【０００９】
このため、高速・高画質化と高品質化を達成する為には、連続して形成する画像毎に画像サイズにあわせて偏光器（回転多面鏡）の回転数を変更し（つまり、画像サイズを変更する）、かつその連続して形成する画像の間隔で調整動作を行うことが有効と考えられる。
【００１０】
ここで、ずれ検出用のマーク列は、特許文献１で示されているように基準画像サイズ（画像サイズの倍率が１００％）で形成する必要がある。しかしながら、連続して形成する画像毎に画像サイズを変更し、連続して形成する画像の間隔で基準画像サイズのずれ検出用のマーク列を形成する場合、ずれ検出用のマーク列を形成するためには、偏光器（回転多面鏡）の回転数を、画像サイズが１００％になるように変更しなければならない。つまり、第１面目（表面）の画像サイズを１０２％になるよう偏光器の回転数を変更して書き込みを行い、書き込み終了後に、画像サイズを１００％になるよう偏光器の回転数を変更してずれ検出用のマーク列を形成する。さらに、第２面目（裏面）の画像サイズを９８％になるよう偏光器の回転数を変更して書き込みを行い、書き込み終了後に、画像サイズを１００％になるよう偏光器の回転数を変更してずれ検出用のマーク列を形成する、という動作を繰り返すことになる。
【００１１】
偏光器の回転数を変更中は画像形成することができない。また、偏光器は回転数を変更してから所定の制定時間が経過しないと回転数が安定しないため、回転数を変更する回数が増えると、連続して形成する画像の間隔が大きくなり、印刷の高生産性を達成するための障害となってしまう。したがって、偏光器（回転多面鏡）の回転数の変更回数は、できるだけ少ないことが望ましい。つまり、ずれ検出用のマーク列を形成するための偏光器の回転数を変更せずに調整できることが望ましい。
【００１２】
そこで、本発明は、このような課題および他の課題のうち、少なくとも１つを解決することを目的とする。なお、他の課題については明細書の全体を通して理解できよう。
【課題を解決するための手段】
【００１３】
本発明に係る画像形成装置は、例えば、ビームを発生するビーム発生手段と、前記ビーム発生手段より発生したビームを走査し感光体上に画像を記録する走査手段と、前記走査手段の走査速度を制御することで前記感光体上に記録する画像の倍率を変更する速度制御手段と、前記感光体上に形成された画像が転写される中間転写体、または記録媒体を搬送する搬送体、のいずれかの担持体と、前記担持体上において、第１の走査速度で記録された画像が形成される第１の領域と前記第一の走査速度とは異なる第２の走査速度で記録された画像が形成される第２の領域との間に生じる領域に、補正対象画像に対するパターン画像を前記第２の走査速度で形成させるパターン制御手段と、前記形成されたパターン画像を読み取って、前記補正対象画像の画像形成位置のずれ量を検出する検出手段と、前記検出した前記第２の走査速度でのずれ量に基づいて補正対象画像の画像形成位置を補正する補正部手段とを有する。
【発明の効果】
【００１４】
本発明によれば、連続印字中にレジストマークを形成しながら、複数種類の倍率の混載した画像形成Ｊｏｂを、ずれ検出用のマーク列を挟んだ最小紙間で行うことができる。これによって、連続印字を中断することなく、かつ、ずれを最小限に抑えつつ、高速・高画質で高品質な画像形成を実行できるようになる。
【発明を実施するための最良の形態】
【００１５】
以下に本発明の一実施形態を示す。もちろん以下で説明される個別の実施形態は、本発明の上位概念、中位概念および下位概念など種々の概念を理解するために役立つであろう。また、本発明の技術的範囲は、特許請求の範囲によって確定されるのであって、以下の個別の実施形態によって限定されるわけではない。
【００１６】
［第１の実施形態］
（１）画像形成装置の構成
図１は、実施形態に係る画像形成装置の概略断面図である。画像形成装置は、カラー画像形成装置１０１と給紙デッキ１０２からなる。
【００１７】
カラー画像形成装置１０１は、デジタルカラー画像リーダ部（以下、リーダ部と記述する）２００と、該デジタルカラー画像リーダ部の下部にデジタルカラー画像プリンタ部（以下、プリンタ部と記述する）２０１を有している。
【００１８】
リーダ部２００において、原稿を原稿台ガラス２１１上に載置し、光学系読み取り駆動モータ２１２により露光ランプ２１３、２１４を含む原稿走査ユニット２１５を予め設定された一定の速度で露光走査する。そして、原稿からの反射光像を、レンズ２１６によりフルカラーセンサ（ＣＣＤ）２１７に集光し、カラー色分解画像信号を得る。このフルカラーセンサ２１７としては、互いに隣接して配置されたＲ（レッド）、Ｇ（グリーン）、Ｂ（ブルー）のフィルタを付けた３ラインのＣＣＤを用いている。カラー色分解画像信号は、画像処理部２１８にて画像処理が施された後、プリンタ部２０１に送出される。
【００１９】
なお、原稿台ガラス２１１の周辺には操作部３０７が設けてあり、複写シーケンスに関する各種モード設定を行うスイッチ及び表示用のディスプレイ及び表示器が配置されている。
【００２０】
プリンタ部２０１において、コントローラ部である制御部５９は、ＣＰＵ，ＲＡＭ，ＲＯＭ等を備えるコントローラボードから構成されている。画像形成装置は、ＲＯＭに記憶される制御プログラムに基づき、給紙部、中間転写部、搬送部、定着ユニット、操作部の動作を総括的に制御している。
【００２１】
画像形成部は、次に述べるような構成になっている。像担持体としての感光体である感光ドラム１１ａ、１１ｂ、１１ｃ、１１ｄが、その中心で軸支され、矢印方向に不図示の駆動モータによって回転駆動される。感光ドラム１１ａ〜１１ｄの外周面に対向してその回転方向にローラ帯電器１２ａ〜１２ｄ、ビーム発生手段と走査手段を含むポリゴンスキャナー１３ａ〜１３ｄ、現像器１４ａ〜１４ｄ、感光ドラムクリーニング装置１５ａ〜１５ｄが配置されている。ローラ帯電器１２ａ〜１２ｄにおいて感光ドラム１１ａ〜１１ｄの表面に均一な帯電量の電荷を与える。
【００２２】
次いで、ポリゴンスキャナー１３ａ〜１３ｄにより、記録画像信号に応じて変調したレーザビーム（ビーム発生手段）などの光線を感光ドラム１１ａ〜１１ｄ上に露光させることによって、感光ドラム上に静電潜像を形成する。さらに、ブラック、シアン、マゼンタ、イエローといった４色の現像剤（以下、「トナー」という。）をそれぞれ収納した現像装置１４ａ〜１４ｄによって上記静電潜像を顕像化する。顕像化された可視画像を中間転写ベルト３０に転写する。その後、感光ドラム１１ａ〜１１ｄ上に残った残留トナーは、クリーニング装置１５ａ〜１５ｄによって回収される。以上に示したプロセスにより、各トナーによる画像形成が順次行われる。
【００２３】
次に、給紙部は、記録材Ｐを収納する部分と、記録材Ｐを搬送するためのローラ、記録材Ｐの通過を検知するためのセンサ、記録材Ｐの有無を検知するためのセンサ、記録材Ｐを搬送路に沿って搬送させるためのガイド（不図示）から構成される。
【００２４】
記録材Ｐは、カセット２１ａ、２１ｂ、２１ｃ、２１ｄ、手差しトレイ２７、デッキ２８に収納される。ピックアップローラ２２ａ、２２ｂ、２２ｃ、２２ｄは、記録材を上から一枚ずつ送り出す。
【００２５】
ピックアップローラ２２ａ〜２２ｄでは、複数枚の記録材Ｐが送り出されることがあるが、ＢＣローラ２３ａ、２３ｂ、２３ｃ、２３ｄによって確実に一枚だけに分離される。ＢＣローラ２３ａ〜２３ｄによって一枚だけ分離された記録材Ｐは、さらに引き抜きローラ２４ａ〜２４ｄ、レジ前ローラ２６によって搬送され、レジストローラ２５まで搬送される。
【００２６】
また、手差しトレイ２７に収納された記録材Ｐは、ＢＣローラ２９によって一枚分離され、レジ前ローラ２６によってレジストローラ２５まで搬送される。また、デッキ２８に収納された記録材Ｐは、ピックアップローラ６０によって給紙ローラ６１まで複数枚搬送され、給紙ローラ６１によって一枚だけ確実に分離され、引き抜きローラ６２まで搬送される。さらに、記録材Ｐはレジ前ローラ２６によってレジストローラ２５まで搬送される。
【００２７】
次に、中間転写ユニットについて詳細に説明する。担持体としての中間転写ベルト３０は、その材料としては、基層上にウレタンゴムやシリコンゴムやＣＲゴム等からなる導電弾性層を形成し、その表面は、フッ素樹脂やＦＫＭ等からなる表面層を形成している。駆動ローラ３２は、中間転写ベルト３０に駆動を伝達し、ばね（不図示）の付勢によって中間転写ベルト３０に適度な張力を与えるテンションローラ３３、中間転写ベルトを挟んで二次転写領域を形成する従動ローラ３４によって支持されている。
【００２８】
駆動ローラ３２は、ステッピングモータ（不図示）によって回転駆動される。各感光ドラム１１ａ〜１１ｄと、中間転写ベルト３０をはさんで対向する位置の、中間転写ベルト３０の裏には、トナー像を中間転写ベルト３０に転写するための高圧を印可する一次転写ローラ３５ａ〜３５ｄが配置されている。従動ローラ３４に対向して二次転写ローラ３６が配置され、中間転写ベルト３０とのニップによって二次転写領域を形成する。二次転写ローラ３６は、中間転写ベルトに対して適度な圧力で加圧されている。
【００２９】
また、中間転写ベルト３０上、二次転写領域の下流には中間転写ベルト３０の画像形成面をクリーニングするためのクリーニング装置５０が配される。クリーニング装置５０は、導電性ファーブラシ５１とファーブラシにバイアスを印加するためのバイアスローラ（不図示）および廃トナーを収納する廃トナーボックス５２から成る。
【００３０】
定着ユニット４０は、内部にハロゲンヒーターなどの熱源を備えた定着ローラ４１ａとそのローラに加圧される４１ｂ（このローラにも熱源を備える場合もある）、上記ローラ対から排出されてきた記録材Ｐを搬送する内排紙ローラ４４から成る。
【００３１】
なお、記録材Ｐの搬送路には、記録材Ｐの通過を検知するために複数のセンサが配置されている。例えば、給紙リトライセンサ６４ａ、６４ｂ、６４ｃ、６４ｄ、デッキ給紙センサ６５、デッキ引き抜きセンサ６６、レジストセンサ６７、内排紙センサ６８、フェイスダウン排紙センサ６９、両面プレレジセンサ７０、両面再給紙センサ７１等がある。
【００３２】
また、記録材Ｐを収納するカセット２１ａ〜２１ｄには、記録材Ｐの有無を検知するカセット紙ありなしセンサ６３ａ、６３ｂ、６３ｃ、６３ｄが配置され、手差しトレイ２７には手差しトレイ２７上の記録材Ｐの有無を検知する手差しトレイ紙ありなしセンサ７４が配置される。また、デッキ２８にはデッキ２８内の記録材Ｐの有無を検知するデッキ紙ありなしセンサ７５が配置されている。
【００３３】
（２）画像形成装置の動作について
一例として、カセット２１ａから記録材Ｐを搬送する場合を説明する。ジョブ開始から所定時間経過後、画像形成部では、画像形成動作開始信号が発せられると、前述したプロセスにより中間転写ベルト３０の回転方向において一番上流にある感光ドラム１１ｄ上に形成されたトナー画像が、高電圧が印加された転写ローラ３５ｄによって一次転写領域において中間転写ベルト３０に一次転写される。一次転写されたトナー像は次の一次転写領域まで搬送される。
【００３４】
各画像形成部では、各画像形成部間をトナー像が搬送される時間だけ遅延して画像形成が行われており、前画像の上に画像先端を合わせて次のトナー像が転写される事になる。以下も同様の工程が繰り返され、４色のトナー像が中間転写ベルト３０上に一次転写される。
【００３５】
一方、ピックアップローラ２２ａにより、カセット２１ａから転写材Ｐが一枚ずつ送り出される。そして給紙ローラ２３によって転写材Ｐが引き抜きローラ２４ａ、レジ前ローラ２６を経由して、レジストローラ２５まで搬送される。その時レジストローラ２５は停止されており、紙先端はニップ部に突き当たる。
【００３６】
図７は、中間転写ベルト３０上に転写されたトナー像が二次転写ローラ３６に向かって移動していく状態を示した図である。矢印Ｓは進行方向を示す。Ｉ１は１枚目の画像、Ｍ１はマゼンタの画像形成部で形成された先端マークを示す。同様にＭ２〜Ｍｎは画像Ｉ２〜Ｉｎの先端マークを示す。先端マークＭ１〜Ｍｎは、先端マーク検知センサ９０によって検知され、転写材Ｐと画像Ｉ１〜Ｉｎが二次転写領域において、ちょうど一致するタイミングに合わせてレジストローラ２５は回転を始める。
【００３７】
その後、記録材Ｐが二次転写領域に進入、中間転写ベルト３０に接触すると、記録材Ｐの通過タイミングに合わせて二次転写ローラ３６に、高電圧が印加される。そして前述したプロセスにより中間転写ベルト上に形成された４色のトナー画像が記録材Ｐの表面に転写される。その後記録材Ｐは定着ローラニップ部まで案内される。そしてローラ対４１ａ、４１ｂの熱及びニップの圧力によってトナー画像が紙表面に定着される。その後、切り替えフラッパーの切り替え方向に応じて、フェイスアップ排紙トレイ２またはフェイスダウントレイ３に排出される。
【００３８】
また、両面印刷の場合には、定着ユニット４０において表面の画像が定着された記録材Ｐは、内排紙ローラ４４を通過した後、切り替えフラッパー７３によって、搬送先が切り替えられ、反転ローラ７２ａ、７２ｂ、７２ｃの方向へ搬送される。そして記録材Ｐの後端が反転位置Ｒに達した時に反転ローラ７２ａ、７２ｂ、７２ｃを逆方向へ回転させ、記録材Ｐを両面搬送ローラ７４ａ、７４ｂ、７４ｃ、７４ｄの方向へ搬送し、再び裏面の画像形成を行うためにレジ前ローラ２５へ搬送する。
【００３９】
尚、中間転写ベルト３０の周辺には、本発明の特徴である用紙間で形成される、補正対象画像に対するパターン画像である画像調整用パッチを検知するための、パッチ検センサ８０（検出手段）が設けられている。
【００４０】
図４は、パッチ検センサ８０による中間転写ベルト３０上に形成された画像調整用パッチの検出方法について説明する図である。図４は、カラーセンサ８０の構成及び画像調整用パッチ検出時のパッチとパッチ検センサの関係を示したものである。光源５０１と、受光センサ５０２、Ｔは中間転写ベルトであり、画像調整用パッチ５１０が形成されている。受光センサ５０２は、光源５０１からの光がパッチの表面に反射した正反射成分を検出する。５０３は増幅器であり受光センサ５０２からの信号を増幅し、増幅後の信号５０５が出力される。
【００４１】
（３）制御ユニットの構成
図２は、本実施形態に係る制御ユニットのブロック図を示す。コントローラ部２１８のＣＰＵ３０１は、制御プログラムが書き込まれたＲＯＭ３０３、処理を行うためのデータを格納するＲＡＭ３０２が、アドレスバス、データバスにより接続されている。また、ＣＰＵ３０１には、外部と通信を行うための外部Ｉ／Ｆ部３０４、紙原稿のスキャン画像データや外部Ｉ／Ｆ部３０４からのＰＤＬデータといった入力された画像データの加工、蓄積、画像処理を行うＭＦＰ制御部３０５、プリンタ部３１００との通信を行う内部Ｉ／Ｆ部３０６が接続されている。
【００４２】
さらにＣＰＵ３０１には、操作部３０７が接続されている。ＣＰＵ３０１は、操作部３０７の表示手段、キー入力手段を制御する。使用者はキー入力手段を通して、表示の切り替えをＣＰＵ３０１に指示し、ＣＰＵ３０１は操作部３０５の表示手段に対して、装置の動作状態や、キー入力によって設定された動作モードの表示を行う。
【００４３】
プリンタ制御部５９のＣＰＵ３１１は、画像形成動作の基本制御を行う。ＣＰＵ３１１には制御プログラムが書き込まれたＲＯＭ３１３及び画像形成動作の処理を行うためのデータを格納するＲＡＭ３１２がアドレスバス及びデータバスを介して接続されている。ＲＯＭ３１３には、後述する制御手順等が記憶されているものとする。デバイス制御部３１４は、プリンタ部の各構成部品を制御するための入出力ポート等を含む電気回路である。内部Ｉ／Ｆ部３１５はコントローラ部２１８と画像信号、タイミング信号のやり取りを行う。装置間Ｉ／Ｆ部３１６は、シート処理装置とシート情報、タイミング情報のやりとりを行う。
【００４４】
ＣＰＵ３１１は、制御プログラムの内容に従って、コントローラ部２１８と内部Ｉ／Ｆ部３１５を介して画像信号を受信しデバイス制御部３１４を制御して画像形成動作を実行すると共に装置間Ｉ／Ｆ部３１６を介して他装置とシート情報、タイミング情報のやりとりをし、シートの搬送動作を実行する。
【００４５】
（４）ＭＦＰ制御部の構成
図３は、コントローラ部２１８のＭＦＰ制御部３０５の内部構造を示すブロック図である。ＭＦＰ制御部３０５に入力される画像データは、大きく分けて複写動作などスキャナのＣＣＤセンサ２１７から出力されるデータと、ネットワークプリント動作など外部Ｉ／Ｆ部３０４から出力されるデータとに分かれている。
【００４６】
ＣＣＤセンサ２１７に結像された原稿画像は、ＣＣＤセンサ２１７によりアナログ電気信号に変換される。変換された画像情報は、アナログ信号処理部４００に入力されてサンプル＆ホールド、ダークレベルの補正等が行われた後、Ａ／Ｄ・ＳＨ処理部４０１でアナログ・デジタル変換（Ａ／Ｄ変換）され、更に、デジタル化された信号に対してシェーディング補正が行われる。シェーディング補正では、ＣＣＤセンサ２１７が持つ画素ごとのばらつきに対する補正、及び原稿照明ランプの配光特性に基づく位置による光量のばらつきに対する補正を行う。
【００４７】
その後、ＲＧＢライン間補正部４０２においてＲＧＢライン間補正を行う。ある時点でＣＣＤセンサ２１７のＲＧＢ各受光部に入力した光は、原稿上ではＲＧＢ各受光部の位置関係に応じてずれているために、ここでＲＧＢ信号間の同期をとる。その後、色変換部４０３において、ダイレクトマッピングによりＲＧＢをＹＭＣ信号に変換する。次に下地除去４０４では、Ｙ、Ｍ、Ｃ信号からＫ信号を生成する。この場合、Ｙ、Ｍ、Ｃ信号の濃度のうちの最小値をグレー成分として減じ、それぞれの濃度信号Ｄｙ、Ｄｍ、Ｄｃを得る。そしてグレー成分にゲイン調整を施してＫの濃度信号Ｄｋを得て、メモリ部４０５へ格納する。
【００４８】
一方、ＲＩＰ部４１０は、外部Ｉ／Ｆ部３０４から入力されたＰＤＬデータを解析し、入力された画像データを一度規格化されたＬ＊ａ＊ｂ＊空間に変換し、このＬ＊ａ＊ｂ＊データを再度ターゲットとなるプリンタに適したＹＭＣＫ空間に変換する。さらにＹ、Ｍ、Ｃ、Ｋ信号を生成してメモリ部４０５へ格納する。
【００４９】
画像補正部４２０は、メモリ部４０５に格納された画像データに対し、パッチ検センサ８０で検出した画像濃度調整用パッチの濃度を用いて補正をしてガンマ補正部４０６へ入力する。画像データの補正が必要ない場合はメモリ部４０５の画像データはガンマ補正部４０６へ入力される。
【００５０】
ガンマ補正部４０６では、Ｙ、Ｍ、Ｃ、Ｋについて、それぞれルックアップテーブルを用いて、プリンタエンジン部の初期設定時における画像濃度とγ特性に従って処理された出力濃度画像が一致するように画像濃度信号を変換する。
【００５１】
変換された画像濃度信号は、パルス幅変調部４０７でパルス幅変調された信号となってプリンタ制御部のレーザードライバに入力される。
【００５２】
パターンジェネレータ４３０は、ページ間で形成する画像調整用パッチのパターンを発生させる。
【００５３】
（５）操作部の構成
図５（ａ）は操作部３０７の模式図を表しており、キー入力部９０００とタッチパネル部９００１から成っている。それぞれの詳細を示したものが、図５（ｂ）及び、図５（ｃ）であり、以下にそれぞれの詳細を説明する。
【００５４】
まず、図５（ｂ）は、定常的な操作設定を行うことができるキー入力部分である。操作部電源スイッチ９０１は、スタンバイモード（通常動作状態）とスリープモード（消費電力を抑えている状態）を切り替えるものであり、画像形成装置全体の電源供給を行う主電源スイッチがＯＮ状態で制御することができる。
【００５５】
節電キー９０２は、スタンバイモード時の定着器の制御温度を下げて、プリント可能な状態まで時間は要するが、消費電力を抑えるためことができるキーである。節電率の設定により制御温度を下げることもできる。スタートキー９０３は、コピーなどの開始を指示するキーであり、ストップキー９０４は、それを中断するキーである。
【００５６】
テンキー９０５は、各種設定の置数を行うためのキーであり、クリアキー９０６は、その置数を解除するためのキーである。ＩＤキー９０７は、装置の操作者を認証するために、予め設定された暗証番号を入力させるためのキーである。リセットキー９０８は、各種設定を無効にし、デフォルト状態に戻すためのキーである。ヘルプキー９０９は、ガイダンスやヘルプを表示させるためのキーであり、ユーザモードキー９１０は、システム設定や各種調整等を行うユーザーモード画面に移行するためのキーである。
【００５７】
カウンタ確認キー９１１は、プリント枚数などをカウントするソフトカウンタに記憶されている出力済み枚数を表示させるためのキーである。コピー／プリント／スキャンなどの動作モード、カラー／白黒といった色モード、ラージ／スモールといった紙サイズなどに応じて、それぞれの出力済み枚数を表示させることができる。
【００５８】
画像コントラストダイヤル９１２は、タッチパネル部の液晶表示のバックライトを調光するなどして、画面の見易さを調整するためのダイヤルである。
【００５９】
実行／メモリランプ９１３は、ジョブの実行中やメモリへのアクセス中に点滅して知らせるランプである。エラーランプ９１４は、ジョブの実行ができない場合やサービスマンコールなどのエラー、あるいは、ジャムや消耗品切れなどを知らせるオペレータコールなどの際に点滅して知らせるランプである。
【００６０】
次に、図５（ｃ）は、ＬＣＤ（Ｌｉｑｕｉｄ  Ｃｒｙｓｔａｌ  Ｄｉｓｐｌａｙ：液晶表示部）とその上に貼られた透明電極からなるタッチパネルディスプレイを表した模式図である。ＬＣＤに表示されるキー相当の部分の透明電極を指で触れると、それを検知して別の操作画面を表示するなど予めプログラムされている。同図は、スタンバイモード時の初期画面であり、設定操作に応じて様々な操作画面を表示することができる。
【００６１】
色選択設定キー９５０は、カラーコピー、白黒コピー、あるいは自動選択かを予め選択するためのキーである。倍率設定キー９５１は、等倍、拡大、縮小などの倍率設定を行う画面に遷移するキー、後処理設定キー９５２はステープルやパンチなどの有無、個数、位置などを設定する画面に遷移するキーである。面設定キー９５３は、片面印刷か両面印刷かを選択する画面に遷移するキー、紙サイズ設定キー９５４は、給紙段や紙サイズ、メディアタイプを選択する画面に遷移するキーである。画像モード設定キー９５５は、文字モードや写真モードなど原稿画像に適した画像モードを選択するためのキー、濃度設定キー９５６は、出力画像を濃くしたり薄くしたり調整するためのキーである。
【００６２】
次に、ステータス表示部９６０は、スタンバイ状態、ウォームアップ中、ジャム、エラー等の簡易的な状態表示を行う表示部であり、倍率表示部９６１は、倍率設定キーで設定された倍率を表示する。紙サイズ表示部９６２は、紙サイズ設定キーで設定された紙サイズやモードを表示し、枚数表示部９６３は、テンキーで指定された枚数を表示したり、動作中に何枚目を印刷中かを表示したりする。
【００６３】
更に、割り込みキー９５７は、コピー動作中に別のジョブを割り込ませる場合に利用し、応用モードキー９５８は、ページ連写、表紙・合紙設定、縮小レイアウト、画像移動など様々な画像処理やレイアウトなどの設定を行う画面に遷移するためのキーである。
【００６４】
（６）画像倍率変更の説明
次に本発明の特徴であるページごとの画像倍率変更について説明する。
【００６５】
まず、記録材である用紙ごとの画像倍率設定について詳細に説明する。図５（ｂ）のユーザーモードキー９１０により、図６（ａ）に示すユーザーモード画面８００が表示される。ユーザーモード画面には各種設定、調整項目キーが表示され、「用紙種類設定」キー８０１を選択すると、図６（ｂ）に示す用紙種類設定画面８１０が表示される。用紙種類設定画面８１０上には、新規登録キー８１２を選択することにより表示される画面（不図示）から登録された用紙種類のキーが表示される。
【００６６】
図６（ｃ）に厚紙キー８１１を選択した時に表示する厚紙設定画面８２０を示す。８２１は、用紙の坪量設定であり表示された範囲内の数値を操作部からテンキーで入力する。８２２は、表面性の設定であり、表面、裏面とも押すごとに「非コート」と「コート」がトグル表示される。８２３は、画像倍率設定であり、表示された範囲内の数値をテンキーから入力する。本実施例では表面、裏面共に０．０１％刻みでの設定が可能である。８２４は用紙種類設定画面８１０に戻るための戻りキーである。
【００６７】
図８（ａ）は、異なる種類の用紙を交互に給紙して、表面に印刷する場合の画像を示す。つまり、カセット２１ａから厚紙、カセット２１ｂから普通紙を交互に給紙する場合の画像を示す。矢印Ｓは画像の進行方向を示す。Ｍ１〜Ｍ４は、マゼンタの画像形成部で形成された先端マークであり、ａ１、ａ２はカセット２１ａから給紙された厚紙の表面に転写する画像、ｂ１、ｂ２はカセット２１ｂから給紙された普通紙の表面に転写する画像を示す。ここで普通紙の表面の画像倍率が９９．９８％、厚紙の表面の画像倍率が１００．００％に設定されているとするとそれぞれの画像間で画像倍率を変更するため、回転多面体を駆動するモータを制御して回転多面体（走査手段）の変速制御を行う。つまり、走査手段の走査速度を制御する。
【００６８】
また、図８（ｂ）は、同一種類の用紙の両面に印刷をする場合の画像を示す。つまり、カセット２１ａから給紙する普通紙の両面に印刷をする場合の画像を示す。矢印Ｓは画像の進行方向を示す。カセット２１ａから順に給紙された普通紙がｐ１、ｐ２、・・・、ｐ５、ｐ６であり、印刷される画像は、ｐ１表、ｐ２表、・・・、ｐ５表、ｐ１裏、ｐ６表、ｐ２裏、・・・の順となる。ここで普通紙の表面の画像倍率が１００．００％、裏面の画像倍率が９９．９７％に設定されているとするとｐ５表とｐ１裏、ｐ１裏とｐ６表、ｐ６表とｐ２裏の画像間で画像倍率変更のため、回転多面体を駆動するモータを制御してモータを制御して回転多面体（走査手段）の変速制御を行う。つまり、走査手段の走査速度を制御する。
【００６９】
図８（ｃ）は、異なる種類の用紙の両面に印刷をする場合の画像を示す。つまり、カセット２１ａから厚紙Ａ、カセット２１ｂから薄紙Ｂ、カセット２１ｃから普通紙Ｃを順番に繰り返し給紙する場合の画像を示す。矢印Ｓは画像の進行方向を示す。Ａ１、Ａ２はカセット２１ａから給紙された厚紙に転写する画像、Ｂ１、Ｂ２はカセット２１ｂから給紙された薄紙に転写する画像、Ｃ１、Ｃ２はカセット２１ｃから給紙された普通紙に転写する画像を示す。ここで厚紙の表面の画像倍率が１０１．００％、薄紙の表面の画像倍率が１０３．００％、普通紙の表面の画像倍率が１０２．００％、厚紙の裏面の画像倍率が９９．９０％、薄紙の裏面の画像倍率が９９．７０％、普通紙の裏面の画像倍率が９９．８０％、に設定されているとするとそれぞれの画像間で画像倍率変更のため、回転多面体を駆動するモータを制御して回転多面体（走査手段）の変速制御を行う。つまり、走査手段の走査速度を制御する。
【００７０】
上述の図８（ａ）図８（ｂ）図８（ｃ）でおこなわれるポリゴンモータの変速制御は画像の副走査方向の倍率制御のために用いられ、変更を行った場合には次の３つの調整を伴う。（Ａ）主走査方向の倍率調整（Ｂ）主走査方向の書出位置オフセット調整（Ｃ）副走査方向の書出位置オフセット調整。
【００７１】
以下に主走査と副走査の倍率を共に１０１％（ｘ１．０１倍）とし、ポリゴンモータの回転周期を１％遅くする（×１０１／１００周期）場合を例に図２０と共に説明する。
【００７２】
図２０は１画像データの分布例と同期信号の時間を配置に対応して示した模式図である。
【００７３】
３０１１は副走査先端信号、３０１２は副走査有効画像域信号、３０１３は副走査先端信号から画像開始までの遅延時間、３０１４は副走査有効画像域、３０２１は主走査先端ＢＤ信号、３０２２は主走査有効画像域信号、３０２３は主走査先端信号から画像データ中央までの遅延時間である中央時間、３０２４は主走査有効画像域、である。Ｙ方向は副走査の走査ライン数の画像データ位置に相当する整数時間軸でありポリゴンミラーの面およびレーザの走査線単位に相当する。Ｘ方向は、主走査中の画像クロックおよび画像データ位置に相当する小数時間軸であり、主走査中の時間と位置はＢＤ信号３０２１からの画像クロック数で定義される。
【００７４】
（Ａ）はポリゴンモータの速度を１％遅くすると、画像クロック（主走査線において１画素データに対応するレーザ点灯時間に相当する時間単位を示すクロック信号）を変えなければ、主走査方向に意図せずして１％（ｘ１００／１０１倍）の縮みを伴ってしまう。そこで、主走査方向倍率も副走査同等に１０１％とするために、画像クロック周期をｘ１０１／１００ｘ１０１／１００＝＋２．０１％（ｘ１．０２０１倍）に設定する。
【００７５】
（Ｂ）はポリゴンモータの速度を１％遅くし、（Ａ）に伴い画像クロックを遅くすると、ＢＤ信号３０２１から画像中央までの中央時間３０２３が変動するため、主走査書出方向に意図せずして中央時間ｘ１％の右移動を伴ってしまう。そこで、中央位置を倍率に応じて移動させないためには、中央時間３０２３をｘ１００／１０１＝−０．９９％（ｘ０．９９０１倍）に設定する。
【００７６】
ここで上記に説明する画像クロックの変更は、図３のパルス幅変調部４０７内の基準画像クロック周波数の水晶発振回路および周波数変調回路によって実施される。
【００７７】
（７）ポリゴンモータの変速制御について
次に画像倍率変更のためにページ間で行うポリゴンモータの変速制御について説明する。
【００７８】
図９は、ある状態Ａのモータ回転速度および回転位相から、ある状態Ｂのモータ回転速度および回転位相へ制御する場合のフィードバック制御のフロー図である。図１４は、図２に示すデバイス制御部３１４に含まれるポリゴンモータの制御部の構成例を示している。
【００７９】
図１４の構成を簡単に説明する。
【００８０】
４つのポリゴンモータの回転速度および位相の基準となる信号（以下回転基準信号）を生成する回路１３５０、第１モータの制御ユニット１３１０（速度制御手段）、内部はその構成を示す。１３１１は、回転基準信号、１３１２は、ポリゴンミラーから得られるＢＤ信号、１３１４は、加減速指示信号、１３１３は、制御計算部であり、ｌ回転基準信号１３１１とＢＤ信号１３１２の入力から差分を受けて加減速信号１３１４を生成する。
【００８１】
１３１５は、モータドライバ、１３１７は、モータの励磁コイル、１３１６は、コイル１３１７に電流を供給する相励磁、１３１８は回転多面体であるポリゴンミラー、１３１９は、モータのパーマネント磁石、１３２０は、ＦＧ信号である。１３２１は、レーザビーム光路のイメージ図、１１ａは、感光ドラム、１３２３は、ＢＤセンサである。
【００８２】
１３４０、１３６０、１３８０は、それぞれ第２、第３、第４モータの制御ユニット（速度制御手段）であり、第１モータのユニットと同等な構成が内部には繰り返されている。よって詳細説明は省略する。
【００８３】
図９は、モータの制御の流れを説明する図である。各制御は、ＲＯＭ３１３に記録されたプログラムに基づいてＣＰＵ３１１が行う。まず、安定回転状態の初期状態Ｂから速度の異なる状態Ａに変更したい状況Ｓ６０１が発生する。説明を判りやすくするため、図１０に例として状態ＣとＡの周期信号の例を示す。状態Ｃとは現在の状態で、制御開始時は状態Ｂと一致し、制御終了後は状態Ａと一致する。それぞれの周期はＣｘ，Ａｘとして示される。この場合、速度が異なるので、周期が異なっている。状態Ｂと状態Ａはそれぞれの画像描画に関係して速度と位相が取り決められているため、位相関係は任意ではなく、絶対時間に対してそれぞれ位相が固定されている。ここでは具体的数値として５％の倍率変調を考え、Ｃｘ＝１０５０μｓ、Ａｘ＝１０００μｓとする。
【００８４】
次に回転状態検知信号による検知Ｓ６０２が行われる。具体的には、ＤＣブラシレスモータの極信号とホール素子から得られる。回転同期信号（以下ＦＧ信号）、または回転多面体と照射レーザ光と反射光センサから成る回転多面体面位置検知信号（以下ＢＤ信号）等が上げられるが、ここではＢＤ信号の例を示す。
【００８５】
次に検知したタイミングに基づいて速度差および位相差の測定と計算Ｓ６０３が行われる。目標とする位相と速度との差が測定される。測定はＢＤ周期（例１０００μｓ）より十分短周期な水晶発振器出力（０．１μｓ）とそれにより動作するクロック同期順序回路等のカウンタによりデジタル計測され、状態Ｃまたは状態Ａの周期タイミングで計測される。測定値は次のように表記される。
現在速度差  Ｔ＝Ｃｘ−Ａｘ
現在位相差  Ｐ＝ｒｅｆＡ  （図１０中）
次に、状態変更制御の終了判定Ｓ６０４が行われる。速度残差Ｔ０、位相残差Ｐ０に対し、以下の条件が判定される。
ｉｆ（（｜Ｔ｜＜Ｔ０）  ＡＮＤ  （｜Ｐ｜＜Ｐ０））
次の条件が満たされると、安定制御に移り、状態変更制御が終了Ｓ６１０する。条件が満たされない場合、加減速実行手段の選択Ｓ６０５に移る。
【００８６】
従来の制御では、速度差が大きい場合、位相差は無意味であると判断される。特に、速度差が倍以上ある場合は、長周期側の１周期内に短周期側の周期信号が２つ以上存在するため、位相差の測定方法にも条件が必要となる。速度残差閾値Ｔ１に対し、次の条件が満たされると速度制御Ｓ６０６を実行する。
ｉｆ（｜Ｔ｜＞Ｔ１）
条件が満たされない場合、位相制御Ｓ６０７が実行される。ここで速度制御Ｓ６０６とは、位相に関わらず速度を一致させる方向に加減速する事を指す。ここで位相制御Ｓ６０７とは、速度に関わらず位相を一致させる方向に加減速する事を指す。制御方法により同時に実行される場合もあるが、双方がずれている場合で双方の制御量の向きが異なる場合、ゲインの大きさ比などを併用して、速度制御が優先される。
【００８７】
次に、ページ間でポリゴンモータの変速を行った場合の画像位置関係を図１１（ａ）を用いて説明する。Ｉ１は１ページ目の画像、Ｍ１はＩ１の先端マーク、Ｉ２は２ページ目の画像、Ｍ２はＩ２の先端マーク、Ｐは用紙に対応する領域を示す。ポリゴンモータの変速制御は１ページ目の画像Ｉ１の後端から開始され、変速が終了した時点で次の画像の先端マークＭ２の画像形成が可能となるため、ページ間隔はＢ１となる。つまり、変速するのに要する時間に相当するページ間隔が、Ｂ１である。
【００８８】
（８）画像調整用パッチについて
次にページ間で形成する画像調整用パッチについて説明する。
【００８９】
図１３（ａ）は、色ずれを検知するための、レジストパッチ、図１３（ｂ）は、濃度ずれを検知するための、濃度調整用パッチ、図１３（ｃ）は、位置ずれを検知するための、位置調整用パッチである。これらは、図３のパターンジェネレータ４３０によってパッチの画像データが生成される。レジストパッチは、図１３（ａ）に示すように基準色であるマゼンタのパターンＲ１とその他の色（図ではイエロー）のパターンから成り、基準色であるマゼンタに対してのずれ量が測定できる。レジストパッチはマゼンタと他の１色をセットとして、ページ間（紙と紙の間）で順次形成される。
【００９０】
基準色であるマゼンタとのずれ量を求める方法を図１２を用いて説明する。形成されたレジストパターンは、パッチ検センサ８０によってＡ１、Ａ２、Ｂ１、Ｂ２の距離が検出される。マゼンタに対する主走査方向のずれ量を△Ｈ、副走査方向のずれ量を△Ｖとして
△Ｈ＝｛（Ｂ２−Ｂ１）／２−（Ａ２−Ａ１）／２｝／２・・・・式１
△Ｖ＝｛（Ｂ２−Ｂ１）／２＋（Ａ２−Ａ１）／２｝／２・・・・式２
の演算式で算出し、次からの画像形成で反映させる。
【００９１】
また、図１２のパッチは、主走査方向の別に配置され、主走査方向に鏡像の関係にしたもう１つの同形状のレジストパターンと、もう１つのパッチ検センサにを設けることによって、マゼンタに対する主走査方向の倍率差Ｍおよび走査線傾斜Ｒも算出される。
【００９２】
濃度調整用パッチは、パッチ検センサ８０によって濃度が読み取られ、その濃度に応じて図３の画像補正部４２０において画像濃度が補正される。
【００９３】
位置調整用パッチは、パッチ検センサ８０によって記録紙に対して形成された位置が読み取られ、その位置に応じて画像が形成される位置が補正される。
【００９４】
ここで、画像調整用パッチである、レジストパッチ、画像濃度調整パッチはそれぞれプリントジョブ中のページ間で順次形成される。ここでは、所定ページ数おきに形成される。本実施形態では、画像濃度調整パッチは奇数ページ後のページ間で、レジストパッチは、１００ページ毎に偶数ページ後のページ間で形成する。尚、後述するが、毎ページ間で形成するようにしても良い。
【００９５】
次に、ページ間で画像調整用パッチを形成した場合の画像位置関係について図１１（ｂ）を用いて説明する。尚、ここでは、ポリゴンモータの変速は行っていない場合を想定して説明するため、上述の変速に要するページ間隔Ｂ１は考慮していない。Ｉ１は、１ページ目の画像、Ｍ１は、Ｉ１の先端マーク、Ｉ２は、２ページ目の画像、Ｍ２は、Ｉ２の先端マーク、Ｄは画像調整用パッチ、Ｐは用紙に対応する領域を示す。
【００９６】
Ｃ０は、用紙Ｐに形成される画像の後端余白を示し、Ｃ１は画像調整用パッチＤのトナーが用紙Ｐに飛散することを防止するためのトナー飛散防止領域である。Ｃ２は画像調整用パッチＤの副走査方向の長さであり、ページ間隔Ｂ２は、
Ｂ２＝Ｃ０＋Ｃ１＋Ｃ２
となる。
【００９７】
（９）回転多面体を駆動するモータの変速と画像調整用パッチ形成の両方を行う場合について
次にページ間で回転多面体を駆動するモータの変速と画像調整用パッチ形成の両方を行う場合について図１５を用いて説明する。
【００９８】
例えば、前述したように両面印刷の際、表面の画像倍率と裏面の画像倍率が異なっている場合に表面画像と裏面画像、あるいは表面画像と裏面画像のページ間で画像倍率変更のためにポリゴンモータの変速が必要となる。また片面印刷の際、用紙の種別によって表面同士でも画像倍率が異なっている場合に異なる種別同士の画像のページ間で画像倍率変更のためにポリゴンモータの変速が必要となる。
【００９９】
また、ここでは、奇数ページ後のページ間であれば画像濃度調整用パッチを形成するため、同一のページ間（同一の紙間）で、ポリゴンモータの変速と画像調整用パッチ形成の両方を行う必要がある。
【０１００】
図１５（ａ）は、ページ間でポリゴンモータの変速を先に行った後、画像調整用パッチを形成した時の画像位置関係を示す。Ｉ１は１ページ目の画像（第１の領域）、Ｍ１はＩ１の先端マーク、Ｉ２は２ページ目の画像（第２の領域）、Ｍ２はＩ２の先端マーク、Ｄは画像調整用パッチ（第２の走査速度で形成されたパターン画像）、Ｐは用紙に対応する領域、Ｂ１はポリゴンモータの変速領域、Ｃ２は画像調整用パッチＤの副走査方向の長さを示す。図１５（ａ）では、１ページ目の画像後端からポリゴンモータの変速制御を開始し、変速終了後に、画像調整用パッチを形成するため１ページ目と２ページ目のページ間隔はＢ１（変速に要する時間に相当する間隔）＋Ｃ２となる。
【０１０１】
一方、別の方法として、図１５（ｂ）は、ページ間で画像調整用パッチを先に形成した後、ポリゴンモータの変速を行った時の画像位置関係を示す。Ｉ１は１ページ目の画像（第２の領域）、Ｍ１はＩ１の先端マーク、Ｉ２は２ページ目の画像（第１の領域）、Ｍ２はＩ２の先端マーク、Ｄは画像調整用パッチ（第２の走査速度で形成されたパターン画像）、Ｐは用紙に対応する領域である。Ｃ０は、用紙Ｐに形成される画像の後端余白を示し、Ｃ１は画像調整用パッチＤのトナーが用紙Ｐに飛散することを防止するためのトナー飛散防止領域、Ｃ２は画像調整用パッチＤの副走査方向の長さ、Ｂ１はポリゴンモータの変速領域、を示す。図１５（ｂ）では１ページ目と２ページ目のページ間隔はＣ０＋Ｃ１＋Ｃ２＋Ｂ１となり、図１５（ａ）の方がページ間隔を短くすることが明らかである。
【０１０２】
つまり、ポリゴンモータの変速を先に行う場合、上記別の方法では必要な、画像調整用パッチＤのトナーが用紙Ｐに飛散することを防止するためのトナー飛散防止領域Ｃ１とＣ０を設ける必要がない。つまり、ポリゴンモータの変速領域Ｂ１に、Ｃ１の効果を兼ねさせることが出来る。さらに、上記別の方法では、用紙Ｐに形成される画像の後端余白Ｃ０も考慮しなければならないが、ポリゴンモータの変速を先に行う場合、ポリゴンモータは、Ｉ１を形成終了した直後から変速を行うことが出来る為、上記別の方法では必要なＣ０分も削減することが出来る。ポリゴンモータの変速を先に行うと、Ｃ０＋Ｃ１分のページ間隔を短くすることが出来きより有効な方法であることがわかる。
【０１０３】
次に、図１６のフローチャートを用いてページ間でモータの変速と画像調整用パッチを形成する方法について説明する。プリント動作が開始されると画像形成装置は、図１６のステップＳ１で次に形成する画像のための先端マークを形成する。次にステップＳ２で用紙に転写するための画像を形成する。画像形成が終了するとステップＳ３で次のページがあるかを判断し、なければ終了、あればステップＳ４へ移行する。ステップＳ４では、図６（ｃ）の８２３で設定された画像形成を終了したページの画像倍率と、同じく図６（ｃ）の８２３で設定された次に形成する画像の画像倍率を比較する。比較結果が異なっていればステップＳ５で次の画像のためにモータの変速を行った後ステップＳ６へ移行する。ステップＳ４において、画像形成を終了したページと次のページの画像倍率の比較結果が同じであればステップＳ６へ移行する。ステップＳ６では、画像調整用パッチを形成するかどうかを判断し画像調整用パッチを形成する場合はステップＳ７へ移行する。ステップＳ７では画像形成を終了したページと次のページの画像倍率が同じであればポリゴンモータの変速が行われなかったため、飛散防止領域を確保するため図１０（ｂ）のＣ０＋Ｃ１だけ距離をおいて画像調整用パッチを形成する。画像形成を終了したページと次のページの画像倍率が異なる場合は、ポリゴンモータの変速が行われたため飛散防止領域を確保する必要はなく、変速終了後、すぐに画像調整用パッチを形成し、次のページの画像形成のため、再度ステップＳ１へ移行する。
【０１０４】
（１０）回転多面体を駆動するモータの変速と画像調整用パッチ形成の両方を行うタイミングについて
上述の図８（ａ）のように異なる種類の用紙を交互に給紙して表面に印刷する場合を示す。ここでは、カセット２１ａから厚紙、カセット２１ｂから普通紙を交互に給紙する場合で、厚紙の表面の画像倍率が１００．００％（第２の走査速度で記録される画像）、普通紙の表面の画像倍率が９９．９８％（第１の走査速度で記録される画像）に設定された場合で、ポリゴンモータの変速を先に行ってから画像調整用パッチを形成したとする。
【０１０５】
この場合、偶数ページ（ここでは、ｂ１）後のページ間で画像調整を行うと、画像倍率が１００．００％のポリゴンモータの速度（第２の走査速度）で画像調整用パッチを形成することになる。これにより、１ページおきに画像倍率が１００．００％の画像調整用パッチが形成される。またこの場合、奇数ページ後のページ間では画像調整用パッチを形成させない。つまり、画像倍率が１００．００％の時に画像調整用パッチを形成させて画像調整を実行させ、画像倍率が１００．００％でないときには、画像調整用パッチを形成しない。これにより、画像調整用パッチの画像倍率が１００．００％であるので、１００．００％に倍率換算する必要もなく、画像調整用パッチを形成しない紙間を短くすることができる。連続印字中にレジストマークを形成しながら、複数種類の倍率の混載した画像形成Ｊｏｂを、ずれ検出用のマーク列を挟んだ最小紙間で行うことができる。よって、連続印字を中断することなく、かつ、ずれを随時最小限に抑えつつ、高速・高画質で高品質な画像形成を実行できるようになる。また画像形成装置の各部への負担を軽減しつつ、精度良くレジストレーション補正を実行できるようになる。
【０１０６】
また、奇数ページ（ここでは、ａ１）後のページ間で画像調整を行った場合には、画像倍率が９９．９８％のポリゴンモータの速度（第２の走査速度）で画像調整用パッチを形成することになる。これにより、１ページおきに画像倍率が９９．９８％の画像調整用パッチが形成される。またこの場合、偶数ページ後のページ間では画像調整用パッチを形成させない。つまり、画像倍率が９９．９８％の時に画像調整用パッチを形成させて画像調整を実行させ、画像倍率が９９．９８％でないときには、画像調整用パッチを形成しない。これにより、画像調整用パッチの画像倍率が９９．９８％であるので、１００．００％に倍率換算する必要はあるが、上記同様に、画像調整用パッチを形成しない紙間を短くすることができる。（倍率換算の方法は後述する。）連続印字中にレジストマークを形成しながら、複数種類の倍率の混載した画像形成Ｊｏｂを、ずれ検出用のマーク列を挟んだ最小紙間で行うことができる。
【０１０７】
尚、上述の図８（ａ）を、画像調整用パッチを形成してからポリゴンモータの変速を後から行ったとする。この場合、奇数ページ（ここでは、ａ１）後のページ間で画像調整を行うと、画像倍率が１００．００％のポリゴンモータの速度（第２の走査速度）で画像調整用パッチを形成することになる。これにより、１ページおきに画像倍率が１００．００％の画像調整用パッチが形成される。またこの場合、偶数ページ後のページ間では画像調整用パッチを形成させない。つまり、画像倍率が１００．００％の時に画像調整用パッチを形成させて画像調整を実行させ、画像倍率が１００．００％でないときには、画像調整用パッチを形成しない。
【０１０８】
よって、連続印字を中断することなく、かつ、ずれを随時最小限に抑えつつ、高速・高画質で高品質な画像形成を実行できるようになる。
【０１０９】
尚、ここでは給紙方法が交互給紙のため１ページおきに画像調整用パッチを形成したが、同倍率のときに画像調整用パッチを形成すればよく１ページおきとは限られない。
【０１１０】
上述の図８（ｂ）のように同一種類の用紙の両面に印刷をする場合を示す。ここでは、カセット２１ａから給紙する普通紙の両面に印刷をする場合で、普通紙の表面の画像倍率が１００．００％（第２の走査速度で記録される画像）、裏面の画像倍率が９９．９７％（第１の走査速度で記録される画像）に設定された場合である。
【０１１１】
この場合、画像倍率が１００．００％のポリゴンモータの速度（第２の走査速度）で画像調整用パッチ（第２の走査速度で形成されるパターン画像）を形成すると、１ページおきに画像倍率が１００．００％の画像調整用パッチが形成される。またこの場合、続くページ後のページ間、つまり、画像倍率が１００．００％でないときには画像調整用パッチを形成させない。つまり、画像倍率が１００．００％の時に画像調整用パッチを形成させて画像調整を実行させ、画像倍率が１００．００％でないときには、画像調整用パッチを形成しない。これにより、画像調整用パッチの画像倍率が１００．００％であるので、１００．００％に倍率換算する必要もなく、画像調整用パッチを形成しない紙間を短くすることができる。連続印字中にレジストマークを形成しながら、複数種類の倍率の混載した画像形成Ｊｏｂを、ずれ検出用のマーク列を挟んだ最小紙間で行うことができる。よって、連続印字を中断することなく、かつ、ずれを随時最小限に抑えつつ、高速・高画質で高品質な画像形成を実行できるようになる。また画像形成装置の各部への負担を軽減しつつ、精度良くレジストレーション補正を実行できるようになる。
【０１１２】
また、画像倍率が９９．９７％のポリゴンモータの速度（第２の走査速度）で画像調整用パッチ（第２の走査速度で形成されるパターン画像）を形成すると、１ページおきに画像倍率が９９．９７％の画像調整用パッチが形成される。またこの場合、偶数ページ後のページ間では画像調整用パッチを形成させない。つまり、画像倍率が９９．９７％の時に画像調整用パッチを形成させて画像調整を実行させ、画像倍率が９９．９７％でないときには、画像調整用パッチを形成しない。これにより、画像調整用パッチの画像倍率が９９．９７％であるので、１００．００％に倍率換算する必要はあるが、上記同様に、画像調整用パッチを形成しない紙間を短くすることができる。（倍率換算の方法は後述する。）連続印字中にレジストマークを形成しながら、複数種類の倍率の混載した画像形成Ｊｏｂを、ずれ検出用のマーク列を挟んだ最小紙間で行うことができる。よって、連続印字を中断することなく、かつ、ずれを随時最小限に抑えつつ、高速・高画質で高品質な画像形成を実行できるようになる。
【０１１３】
上述の図８（ｃ）のように異なる種類の用紙の両面に印刷をする場合を示す。ここでは、カセット２１ａから厚紙Ａ、カセット２１ｂから薄紙Ｂ、カセット２１ｃから普通紙Ｃを順番に繰り返し給紙する場合で、厚紙の表面の画像倍率が１０１．００％、薄紙の表面の画像倍率が１０３．００％、普通紙の表面の画像倍率が１０２．００％、厚紙の裏面の画像倍率が９９．９０％、薄紙の裏面の画像倍率が９９．７０％、普通紙の裏面の画像倍率が９９．８０％、に設定された場合である。
【０１１４】
この場合、画像倍率が同じ倍率のとき、例えば１０１．００％のときのみ、画像調整用パッチを形成し、その他の画像倍率では画像調整用パッチを形成させないようにしても良い。つまり、画像倍率が所定値の時に画像調整用パッチを形成させて画像調整を実行させ、画像倍率が所定値以外のときには、画像調整用パッチを形成しない。これにより、画像倍率が１００．００％であれば、１００．００％に倍率換算する必要もなく、画像倍率が１００．００％でなければ、１００．００％に倍率換算する必要はあるが、上記同様に、画像調整用パッチを形成しない紙間を短くすることができる。
【０１１５】
混在している画像倍率が多くなる分、画像調整用パッチを形成する回数が少なくなり、上述の場合より精度が落ちるが、画像調整用パッチを形成しない紙間が増え、かつ紙間も短くすることができ高速化することが出来る。連続印字中にレジストマークを形成しながら、複数種類の倍率の混載した画像形成Ｊｏｂを、ずれ検出用のマーク列を挟んだ最小紙間で行うことができる。よって、連続印字を中断することなく、かつ、ずれを抑えつつ、高速・高画質で高品質な画像形成を実行できるようになる。また画像形成装置の各部への負担を軽減しつつ、レジストレーション補正を実行できるようになる。
【０１１６】
また、精度を向上させるためには、複数の画像倍率で、例えば１０１．００％、１０２．００％と９９．９０％のときに、画像調整用パッチを形成し、その他の画像倍率（ここでは、１０３．００％、９９．７０％と９９．８０％）では画像調整用パッチを形成させないようにしても良い。
【０１１７】
更に、使用する全ての画像倍率（ここでは、９９．７０％、９９．８０％、９９．９０％、１０１．００％、１０２．００％と１０３．００％）で画像調整用パッチを形成するようにすることで、画像調整用パッチを形成する回数が増え精度を更に向上させることができる。これにより連続印字を中断することなく、かつ、ずれを随時最小限に抑えつつ、高速・高画質で高品質な画像形成を実行できるようになる。また精度良くレジストレーション補正を実行できるようになる。
【０１１８】
（１１）画像調整用パッチを使った補正について
図１７は、本発明の画像形成装置による連続ページ印字動作の例である。例えば、図８（ｃ）のように異なる種類の用紙の両面に印刷をする場合を想定する。カセット２１ａから厚紙Ａ、カセット２１ｂから薄紙Ｂ、カセット２１ｃから普通紙Ｃを順番に繰り返し給紙する。厚紙の表面の画像倍率が１０１．００％、薄紙の表面の画像倍率が１０３．００％、普通紙の表面の画像倍率が１０２．００％、厚紙の裏面の画像倍率が９９．９０％、薄紙の裏面の画像倍率が９９．７０％、普通紙の裏面の画像倍率が９９．８０％、に設定された場合である。
【０１１９】
これらのシーケンスはプリンタ制御部５９のＣＰＵ３１１が司っている。ここでは、倍率ｘ（厚紙の表面の画像倍率が１０１．００％）、ｙ（薄紙の表面の画像倍率が１０３．００％）、ｚ（普通紙の表面の画像倍率が１０２．００％）の異なる３種類の倍率で、異なる画像サイズの連続する３ページの画像形成の流れに注目して、Ｙ色と色ずれ補正量のフィードバックの流れを示した図である。Ｙ色は他の色に先立ってカラー画像形成のＪｏｂ開始の起点となるものであり、ここではＭ，Ｃ，Ｋ色については省略している。図１７を用いて、色ずれ補正の動作を説明する。
【０１２０】
図１７の補正シーケンスでは、ステップＳ８０１より、異なる倍率での画像形成を含んだ連続ページでの印字動作、連続Ｊｏｂが開始される。ステップＳ８０２にて倍率ｘに合わせた光学ユニットの変速および位相制御を行う。光学ユニットの速度および位相が安定した頃に、ステップＳ８０３でレジパターン印字を開始する。ステップＳ８０４で、倍率ｘで画像ページの画像形成がおこなわれる。
【０１２１】
ステップＳ８０５で、ステップＳ８０３で形成したレジパターンから、補正値（ｍｘ，ｃｘ，ｋｘ）を読み取る。ここで、ｍｘ，ｃｘ，ｋｘは、色ずれ補正量演算部Ｓ３０１が求めたＭ色、Ｃ色、Ｋ色の倍率ｘにおける補正量である。補正量には副走査倍率補正量と、主走査倍率補正量、走査線斜行量、および、図２０のように副走査位置オフセット３０１３の補正量、主走査位置オフセット３０２３の補正量がある。以下の説明では、図２１のように、副走査位置オフセット量をｍ０、ｃ０、ｋ０と定義し、上述の補正量群が扱われるパラ−メータの代表として説明する。これらは基準倍率で用いられる感光ドラム間遅延量である。
【０１２２】
補正値の読取は、「（８）パッチについて」で上述したレジパターンの形成と、式２の計算によって行われる。このとき、作像するパッチのサイズは、書込時の画像データのレーザ走査線数単位と、画像クロック単位で定義される画素数をベースとしたビットマップ状のパッチデータであり、基準倍率においては、図１２のように主走査方向画素数と副走査方向画素数が１：１となる傾斜４５度のパターンである。また、センサによるＡ１，Ａ２、Ｂ１、Ｂ２の読取は、搬送方向速度が一定速であることを前提に、センサによるパッチ位置の読取間隔時間を、パッチ距離に換算して求められる。
【０１２３】
ここで、倍率ｘにおけるレジパターン描画は基準倍率に対して主副共にｘ倍で描画される。さらに、前述したセンサ読取時間はｘ倍を考慮して換算され、各色の副走査倍率補正量計算結果Ｍｍ、Ｍｃ、Ｍｃ、補正量はｘ倍の画素をベースに算出される。求めた画素数としての補正量ｍｘ、ｃｘ、ｋｘは、ｘ倍を用いて基準倍率補正量に換算される。
ｍｘ＝ｍ０＋Ｍｍ／ｘ・・・式６−１
ｃｘ＝ｃ０＋Ｍｃ／ｘ・・・式６−２
ｋｘ＝ｋ０＋Ｍｋ／ｘ・・・式６−３
ステップＳ８０６で、ステップＳ８００で、予め求めておいた基準倍率１００％での補正量（ｍ０、ｃ０、ｋ０）とステップＳ８０５で求めた倍率ｘ（ポリゴンの走査速度ｓｘ）での補正値（ｍｘ，ｃｘ，ｋｘ）から基準倍率補正量を換算平均化され、現在の補正量となる基準補正量（ｍ１、ｃ１、ｋ１）を求める。
ｍ１＝（ｍｘ＋ｍ０）／２・・・式７−１
ｃ１＝（ｃｘ＋ｃ０）／２・・・式７−２
ｋ１＝（ｋｘ＋ｋ０）／２・・・式７−３
尚、ステップＳ８００で、予め求めておいた基準倍率１００％での補正量（ｍ０、ｃ０、ｋ０）は、電源ＯＮ時のそ装置の立上げ時に求めておいても良いし、連続Ｊｏｂの、始めのＪｏｂが基準倍率１００％であれば、その時にも求めるようにしても良い。
【０１２４】
ステップＳ８０７で、次の倍率ｙ（ポリゴンの走査速度ｓｙ）でのＪｏｂ開始（ステップＳ８１２）の前に、ステップＳ８０６で求めたｍ１、ｃ１、ｋ１から、倍率ｙでのＧ像形成に使用する倍率ｙに換算したｍｙ、ｃｙ、ｋｙを求める。
ｍｙ＝ｍ１／ｓｙ・・・式９−１
ｃｙ＝ｃ１／ｓｙ・・・式９−２
ｋｙ＝ｋ１／ｓｙ・・・式９−３
ステップＳ８１２で、ステップＳ８０７で求めたｍｙ、ｃｙ、ｋｙに基づき、ポリゴンスキャナの変速および位相制御を行う。ポリゴンスキャナの速度および位相が安定した頃に、ステップＳ８１３でレジパターン印字を開始する。ステップＳ８１４で、倍率ｙで画像ページの画像形成がおこなわれる。以降の異なる倍率についでも、同様に繰り返していけばよい。
【０１２５】
ここでは、倍率ｙ、ｚ、ｗの印字においても、ステップＳ８１５、Ｓ８１６、Ｓ８２５、Ｓ８２６、Ｓ８３５、Ｓ８３６によって現在補正量ｍ２、ｃ２、ｋ２、ｍ３、ｃ３、ｋ３、ｍ４、ｃ４、ｋ４が計算される。
【０１２６】
ステップＳ８１７では、次の倍率ｚ（ポリゴンの走査速度ｓｚ）でのＪｏｂ開始（ステップＳ８２２）の前に、ステップＳ８０６で求めたｍ１、ｃ１、ｋ１から、倍率ｚでの画像形成に使用する倍率ｚに換算したｍｚ、ｃｚ、ｋｚを求めた例を示した。
【０１２７】
尚、この例では、ステップＳ８１６における、現在の補正量となる基準補正量（ｍ２、ｃ２、ｋ２）のフィードバックについて、倍率ｙの副走査方向の画像サイズが小さい。そのため、倍率ｚのＪｏｂ開始Ｓ８２２前に取得できなかったので、倍率ｚの印字には、ステップＳ８１７にて前回補正値ｍ１、ｃ１、ｋ１を用いて倍率ｚに換算したｍｚ、ｃｚ、ｋｚが用いられ、作像がなされる。現在の補正量となる基準補正量（ｍ３、ｃ３、ｋ３）のフィードバックについても同様に、倍率ｗのＪｏｂには使われていない例を示した。
【０１２８】
補正量のフィードバックは、画像ページのサイズ等に依存するため、大きな画像の場合、すぐ次の画像にフィードバックできる場合もあるが、小さな画像の場合、１ページ以上のより多くのページが処理された後にフィードバックされる場合もある。
【０１２９】
尚、ここでは、全ての倍率を異なるものの例を示したが、１００％の倍率のときのみ行えば、基準倍率のもののみでの補正となるので、倍率換算の演算は不要となる。
【０１３０】
また、ステップＳ８０６の値から、ステップＳ８０７で倍率ｙ、ステップＳ８１７で倍率ｚの補正量を求めたように、複数の倍率の補正値を求めることができることがわかるであろう。
これにより、複数の倍率で描画されたレジパターンの読取値をある所定の基準倍率（ここでは、基準倍率１００％での色ずれ補正検知回数０回時の初期値ｍ０、ｃ０、ｋ０）へとフィードバックを行っている。前々回や前回の色ずれ検知結果を基準倍率にて平均化することで、現在の基準補正量としている。これにより、装置の状態に応じた最新の色ずれ検知結果に追従すると共に、中間転写ベルトのムラ等の影響を小さく抑えることが出来る。
【０１３１】
図１８は、印字されたレジパターンの読取と、補正値の取得演算との関係を示すフローである。ここでは、添え字ＹＭＣＫで、各色毎の並列した動作を指し、並列した表記にしている。
【０１３２】
ステップＳ５０１で、異なる倍率での画像形成を含んだ連続ページでの印字動作Ｊｏｂ１が開始されると、倍率ｘの第１の画像ページのＪｏｂがスプールされる。その後適切なタイミングにて一斉に４色の画像先端カウントを開始する。４色の動作は各々独立しているので、以下、Ｍ色（マゼンタ）の画像形成部を代表して、フローを説明する。
【０１３３】
Ｍ色では、Ｓ５０４Ｍの水平同期信号のカウントを開始する。その後、Ｓ５０２Ｍにて前ページの終了を待って、Ｓ５０３Ｍにて倍率ｘに合わせた光学ユニットの変速および位相制御を行う。
【０１３４】
光学ユニットの速度および位相が安定した頃に、Ｓ１７０５Ｍのカウンタ値を基準にＳ１７０６でレジパターン印字を開始する。その後まもなく倍率ｘの所定位相によるＭ色の画像ページ印字（Ｓ１７０７Ｍ、Ｓ１７０８Ｍ）がおこなわれる。
【０１３５】
ここで図中のｍｘは、色ずれ補正量演算部Ｓ３０１が求めたＭ色の倍率ｘにおける補正量であり、ｉｎｔ（ｍｘ）は先端ラインカウント値、ｍｏｄ（ｍｘ／ｓｘ）は１ライン以下補正量を指す。ｓｘは倍率ｘにおける水平同期信号の周期に相当する。この制御を、各画像形成の倍率で繰り返す。
【０１３６】
ここで補正量は、上記代表とした感光ドラム遅延量である副走査位置オフセット３０１３以外に、副走査倍率補正量、主走査倍率補正量、走査線斜行量、主走査位置オフセット３０２３の補正量もそれぞれレジストパターン描画時の倍率に準じて補正量が計算され、補正量は基準倍率の補正量として換算されて動作する。これらのパラメータについては考え方は副走査オフセット３０１３と同じであるので詳細な説明は省略する。
【０１３７】
［第２の実施形態］
本発明の第１の実施形態によれば、基準倍率へのフィードバック方法は、ｍ０、ｃ０、ｋ０をＹ色に対する各画像形成部間の転写位置間隔へと換算することによって行っている。しかし、一定の副走査速度を基準として、上記転写位置間隔は所定時間として換算しても良く、倍率要素を差し引いた同一単位にすることで基準倍率換算することができる。
【０１３８】
［第３の実施形態］
本発明の第１の実施形態によれば、初期状態を色ずれ補正検知回数０回時の初期値ｍ０、ｃ０、ｋ０としているが、連続ページプリントではない電源投入時等の基本補正シーケンスを備える装置においては、それを初期状態としてもよい。また、本発明内で行われる色ずれ検知結果を基本補正シーケンスに対する追加補正手段としてもよい。本発明手段の外で行われる色ずれ検知結果を併用することは本発明の用途を限定する要素ではない。
【０１３９】
［第４の実施形態］
本発明の第１の実施形態によれば、本実施形態の装置における色ずれ補正量演算部は、前々回と、前回の色ずれ検知結果を基準倍率にて平均化することで、現在の補正量としている。しかし、前々々回など、２つ以上の過去の補正結果を用いた補正演算や、平均化以外の一般統計的補正手段によっても本発明の構成は適用することができる。
【０１４０】
［他の実施形態］
上述の実施形態では、画像形成時に用紙の伸縮に応じた変倍率で画像を変倍処理して用紙の表面、裏面に画像を形成する例を示したが、これに限らず、例えば用紙の伸縮を予め予測しておくことによって、表面の画像に対して変倍処理を施しておくことも可能である。例えば表面の画像を拡大して形成し、熱による定着処理による用紙の収縮によって表面の画像の大きさが元の大きさとなるようにしておけばよい。裏面の画像についてはそのままの大きさで形成すれば、表面と裏面の画像の大きさを一致させることができる。もちろん、表面の画像及び裏面の画像に対してそれぞれ変倍処理を施すことも可能である。
【０１４１】
なお、図１に示した例では中間転写体３０を用いたいわゆる４タンデム型の構成を示したが、これに限らず、中間転写体３０を用いずに直接用紙上にそれぞれの記録原料による画像を形成する構成や、いわゆる４サイクル型と呼ばれる４回の記録動作によってフルカラーの画像を形成する構成などにおいても、上述と同様にして表面あるいは裏面の画像に対して用紙の伸縮に応じた変倍率により変倍処理を施すことによって、表裏の画像の大きさを正確に揃えることが可能である。もちろん、４色構成の装置に限られるものではなく、３色以下あるいは５色以上を用いる装置であってもよく、また、使用する記録原料の色も上述の例に限られるものではない。
【０１４２】
また、カラーの画像形成装置に限らず、白黒の画像形成装置においても本発明は適用可能である。感光ドラムや転写外ローラやテストプリント用紙等の像担持媒体上に、上記レジパターンの黒トナー像を作成し、これを読み取るパッチセンサを配置し、記録媒体上の作像位置を補正する、本発明の１例の装置において、パッチセンサ配置を基準精度とした高精度な作像位置制御と、用紙種や各表面裏面毎の倍率変更描画を実現しつつ、その連続印字における生産性を高く保つことができる。また、図１に示した例ではポリゴンスキャナーを使用した電子写真方式によって画像を形成する例を示したが、これに限られるものではなく、公知の各種の画像形成方法において適用することが可能である。例えばポリゴンミラーの代わりに往復走査を行うガルバノミラー方式でも、画像形成後の用紙は伸びることが想定される。この場合にも裏面の画像を変倍率に応じて拡大し、あるいは表面の画像を変倍率に応じて縮小することによって、両面の画像の大きさを正確に一致させることが可能になる。
【０１４３】
また、一般的に画像形成装置においては、定着ユニット４０における定着温度は１ないし複数段階のいずれかに設定される。また、同じ定着温度でも、用紙の厚さによって、熱による収縮率は異なってくる。図１９では、用紙の厚さと定着温度に応じて設定する変倍率の一例を示している。なお、変倍率の上段は主走査方向の変倍率を示し、下段は副走査方向の変倍率をそれぞれ示している。このように、主走査方向と副走査方向でそれぞれ変倍率を設定することも可能である。さらに、用紙の種類に応じて、それぞれ用紙の厚さと定着温度に応じた変倍率を設定する例を示している。もちろん、各変倍率の値や用紙の厚さ、定着温度などの数値は一例であって、任意に設定可能である。
【０１４４】
これらのうち、定着温度は装置あるいは動作モードなどによって決定されることが多いが、用紙の種類や用紙の厚さなどは、利用者がどのような用紙を使用するかによって異なってくる。そのため、これらの設定については図６のように、利用者が設定するように構成することもできるし、センサを設け、自動的に測定して設定してもよい。さらには、実際に用紙の伸縮前後の用紙の大きさを計測するように構成してもよい。また、例えばＩＣＣプロファイルを選択可能な装置ではＩＣＣプロファイル中にこれらの設定を記述しておき、ＩＣＣプロファイルの選択によって自動的に変倍率が設定されるように構成してもよい。また、画像形成装置に入力される情報としてＴＩＦＦファイルが入力される場合には、そのファイル中にこれらの設定を記述しておいてもよい。用紙の種類や用紙の厚さ、定着温度に限らず、例えば環境の湿度や温度による影響を考慮するなど、各種の要因を考慮して用紙の伸縮を予測し、変倍率を決定するように構成することもできる。
【０１４５】
以上、説明したように、本発明の画像形成装置は、連続する複数ページの画像形成において、ページ間でポリゴンモータの回転速度変更とレジストパッチあるいは画像濃度調整用パッチの形成を同一の紙間で行う場合には、ポリゴンモータの回転速度変更を先に行う。これにより、本来必要である用紙後端とパッチ形成のための所定間隔を不要とすることで、ページ間距離を詰め、生産性の低下を防止することが可能となる。
【図面の簡単な説明】
【０１４６】
【図１】実施形態に係る画像形成装置の概略構成を示す縦断面図。
【図２】実施形態に係る画像形成装置のブロック図。
【図３】実施形態に係るＭＦＰ制御部の構成を示すブロック図。
【図４】実施形態に係るパッチ検センサの構成を示す図。
【図５】実施形態に係る操作部を示す図。
【図６】実施形態に係るユーザモード画面を示す図。
【図７】実施形態に係るページ間処理の配置を示す図。
【図８】実施形態に係るページ画像の配置を示す図。
【図９】実施形態に係るポリゴンモータの変速方法を示すフローチャート。
【図１０】実施形態に係るポリゴンモータの周期信号を示す図。
【図１１】実施形態に係る画像形成を説明する図。
【図１２】実施形態に係る色ずれ検出を説明する図。
【図１３】実施形態に係る画像調整用パッチを示す図。
【図１４】実施形態に係るポリゴンモータ変速制御部のブロック図。
【図１５】実施形態に係る変倍時の画像形成を説明する図。
【図１６】実施形態に係るページ間処理のフローチャート。
【図１７】実施形態に係る連続ページ印字動作のフローチャート。
【図１８】実施形態に係る補正値の取得演算のフローチャート。
【図１９】実施形態に係る用紙の厚さと定着温度に応じて設定する変倍率の一覧。
【図２０】実施形態に係る画像データの配置と信号の時間軸の模式図。
【図２１】実施形態に係る副走査位置オフセット量（感光ドラム遅延量）の物理的イメージ図。
【図１】
2007179005.tif 000003
【図２】
2007179005.tif 000004
【図３】
2007179005.tif 000005
【図４】
2007179005.tif 000006
【図５】
2007179005.tif 000007
【図６】
2007179005.tif 000008
【図７】
2007179005.tif 000009
【図８】
2007179005.tif 000010
【図９】
2007179005.tif 000011
【図１０】
2007179005.tif 000012
【図１１】
2007179005.tif 000013
【図１２】
2007179005.tif 000014
【図１３】
2007179005.tif 000015
【図１４】
2007179005.tif 000016
【図１５】
2007179005.tif 000017
【図１６】
2007179005.tif 000018
【図１７】
2007179005.tif 000019
【図１８】
2007179005.tif 000020
【図１９】
2007179005.tif 000021
【図２０】
2007179005.tif 000022
【図２１】
2007179005.tif 000023